(57)【要約】【課題】  ユーザの印刷ミスを減少させて失敗コストを削減し、所望する出力結果を効率よく得ることのできる情報処理装置を提供する。【解決手段】  そのプリンタ装置の印刷設定を指示するための印刷設定パネルを表示する手段と、印刷設定パネル中に簡易設定アイコンを表示する手段と、さらに印刷設定パネル中に印刷設定項目を表示する手段と、簡易設定アイコンが選択されたか判断する手段と、簡易設定アイコンか選択されたとき、簡易設定アイコンをハイライト表示する手段と、印刷設定パネル中に表示した印刷設定項目が変更されたか判断する手段と、印刷設定項目が変更されたときに、前記のハイライト表示した簡易設定アイコンをハーフライト表示に切り替える手段と、変更した印刷設定項目をハーフライト表示する手段と、印刷命令が実行されたかを判断する手段と、印刷処理を実行する手段とを備える。【選択図】        図１
2006209512.tif 000002
【特許請求の範囲】
【請求項１】
印刷装置で印刷すべき印刷データを生成する情報処理装置であって、
オペレーティングシステムからプリンタドライバに印刷命令が送られてきたとき、印刷装置の印刷設定を指示するための印刷設定パネルを表示する手段と、
印刷設定パネル中に簡易設定アイコンを表示する手段と、
印刷設定パネル中に印刷設定項目を表示する手段と、
印刷命令が実行されたかを判断する手段と、
印刷処理を実行する手段を有することを特徴とする情報処理装置。
【請求項２】
前記印刷設定項目パネル中に表示される印刷設定項目を選択する手段と、
選択された印刷設定項目を組み合わせて、簡易設定を作成する手段をさらに有することを特徴とする請求項１に記載の情報処理装置。
【請求項３】
簡易設定アイコンが選択されたか判断する手段と、
簡易設定アイコンか選択されたと判断された場合に、選択された簡易設定アイコンをハイライト表示する手段と、
印刷設定パネル中の印刷設定項目に、簡易設定作成時に選択したものを初期値として表示する手段をさらに有することを特徴とする請求項１または２に記載の情報処理装置。
【発明の詳細な説明】
【技術分野】
【０００１】
本発明は、情報処理装置に関し、特にパーソナルコンピュータなどの情報処理システムにおけるプリンタの印刷処理方法に関するものである。
【背景技術】
【０００２】
従来の印刷設定方法は、プリンタなどの出力装置の多機能化に伴い、さまざまな出力方法によって印刷結果を得ることができる。そのためドライバには数多くの設定項目が存在し、単純な印刷を行なう際にもユーザの混乱を招き、誤操作などによって、ユーザの所望する出力結果が得られないという問題点があった。
そこで、一部の印刷設定項目を組み合わせて一纏めにし、それをユーザに選択させることで、煩雑な設定作業を省略し、希望の出力結果が容易に得られる印刷設定方法がある（例えば、特許文献１参照。）。
【特許文献１】特開２０００−２２２１５９号公報
【発明の開示】
【発明が解決しようとする課題】
【０００３】
従来の印刷設定項目を組み合わせた印刷設定方法では、一部の設定を変更したとき、設定項目が多いため変更部分が分かりづらく、間違いなく印刷するためには、すべての印刷設定項目を再度、確認する必要があり作業効率を低下させる原因になっていた。また、再確認で見落とすと、ユーザの要望と異なる出力結果となり、コストを増加させる原因にもなっていた。
【０００４】
本発明は、上述の問題点に着目してなされたものであって、ユーザの印刷ミスを減少させて失敗コストを削減し、所望する出力結果を効率よく得ることのできる情報処理装置を提供することを目的とする。
【課題を解決するための手段】
【０００５】
本発明である印刷設定方法および装置および媒体では、コンピュータに接続されたプリンタ装置で、ＯＳドライバに印刷命令が送られてきたとき、そのプリンタ装置の印刷設定を指示するための印刷設定パネルを表示する手段と、印刷設定パネル中に簡易設定アイコンを表示する手段と、さらに印刷設定パネル中に印刷設定項目を表示する手段と、簡易設定アイコンが選択されたか判断する手段と、簡易設定アイコンか選択されたとき、簡易設定アイコンをハイライト表示する手段と、印刷設定パネル中に表示した印刷設定項目が変更されたか判断する手段と、印刷設定項目が変更されたときに、前記のハイライト表示した簡易設定アイコンをハーフライト表示に切り替える手段と、変更した印刷設定項目をハーフライト表示する手段と、印刷命令が実行されたかを判断する手段と、印刷処理を実行する手段とを備える。
【０００６】
すなわち本発明は、印刷装置で印刷すべき印刷データを生成する情報処理装置であって、オペレーティングシステムからプリンタドライバに印刷命令が送られてきたとき、印刷装置の印刷設定を指示するための印刷設定パネルを表示する手段と、印刷設定パネル中に簡易設定アイコンを表示する手段と、印刷設定パネル中に印刷設定項目を表示する手段と、印刷命令が実行されたかを判断する手段と、印刷処理を実行する手段を有することを特徴とする情報処理装置である。
【発明の効果】
【０００７】
この発明による作用として、ユーザの印刷ミスを減少させて失敗コストを削減し、所望する出力結果を単純で必要最低限な操作によって、効率よく得ることができる。
【発明を実施するための最良の形態】
【０００８】
以下画面を参照して本発明に係る一実施例を詳細に説明する。
【実施例】
【０００９】
図１は本実施例の画像処理印刷方法が適用される情報処理システムの構成の一例を示すブロック図である。
【００１０】
図１において、１は中央処理装置で、上記プログラムおよび関連データが記憶されているＦＤ，ＣＤ−ＲＯＭ，ＩＣメモリカード等の記憶媒体をシステムに接続された媒体読取装置６から読み込み、補助記憶装置３から主記憶装置２にロードされたシステムプログラム、アプリケーションプログラムによって、入力装置４から入力される情報を処理して、出力装置５やプリンタ７に出力する。なお、本実施例では、出力装置５はディスプレイなどの表示装置とし、本来出力装置に含まれるプリンタ７と区別する。また、入力装置４はキーボード、ポインティングデバイス等で構成されているものとする。さらに補助記憶装置３は、ハードディスク、光磁気ディスクで構成されるものであってもいいし、これらの組み合わせで構成されるものであってもよい。また、それぞれの装置がネットワークを介して接続されていようとも、この特許を制約するものではない。
【００１１】
図２は媒体読取装置記憶装置に格納されていた画像処理方法制御プログラムと関連するデータが中央処理演算装置に読み込まれ、入力装置から印刷命令が入力されて、プリンタへデータを送り印刷するまでの概念図をあらわす。アプリケーション、ドライバともＯＳの制御下で機能する。
【００１２】
図３は、簡易設定ＵＩを作成するための簡易設定作成パネルの一例を表現したものである。このパネルには大量の印刷設定項目が存在しており、それらの設定項目を設定した時点で、作成ボタンを押して、複数の印刷設定項目を一纏めにした簡易設定ＵＩを作成することが可能である。
【００１３】
図４は、簡易設定が簡易設定作成パネルによって作成されされた簡易設定アイコンと、印刷設定項目を含んだ印刷設定パネルの一例を表現したものである。ここでは、簡易設定に文書アイコンが選択され、ハイライト表示されている。簡易設定の文書では、カートリッジにカラー、用紙の種類には普通紙が選択されており、グレースケール印刷のチェックは外された設定になっている。
【００１４】
図５は、図４の印刷設定パネルにおいて、簡易設定に文書アイコンを選択して、さらにカートリッジをカラーからモノクロに変更したときの印刷設定パネルの一例を表現したものである。カラーからモノクロに変更したことにより、カートリッジのリストボックスがハーフライト表示されて、さらに簡易設定の文書アイコンもハイライト表示からハーフライト表示に変更されて、簡易設定の文書から一部の設定（カートリッジ）が変更されたことを容易に判断できるようにしている。
【００１５】
図６は、この高速画像処理方法プログラムおよび関連データがＦＤを介してコンピュータにロードする状態を示している。このＦＤを媒体読取装置にセットすると、主記憶装置に読み込まれているＯＳおよび基本Ｉ／Ｏプログラムの制御の基に本高速画像処理方法プログラムおよび関連データがＦＤから読み出され、主記憶装置にロードされたときに動作が可能となる。
【００１６】
図７は、本印刷設定方法制御プログラムがＦＤに格納されているメモリマップを示す。
【００１７】
図８は、ＦＤに格納されていた印刷設定方法制御プログラムが、媒体読取装置を介して、補助記憶装置から主記憶装置にロードされたときのメモリマップを示す。
【００１８】
本実施例では、ＦＤから本印刷設定方法制御プログラムを直接、補助記憶装置を介して主記憶装置に読み込んで実行する例を示したが、本画像処理方法制御プログラムをＦＤなどの記憶媒体からＨＤなどの補助記憶装置にセーブしておき、実行するときに主記憶装置に読み込む形態をとってもよい。
【００１９】
また、本印刷設定方法制御プログラムを記録する媒体は、ＦＤ、ＨＤ以外にも、光磁気ディスクやＣＤ−ＲＯＭ、ＩＣメモリカード等であってもよい。また、本画像処理方法制御プログラムをＲＯＭに記憶しておくことも可能である。
【００２０】
画像処理方法は図９に示される画像処理方法のフローチャートに基づいてプログラム化されたものである。以下、図９のフローチャートを参照しながら本発明に係る印刷設定方法について説明する。
【００２１】
図１−４の入力装置から命令が入力されると、図１−３の補助記憶装置から図１−１の主記憶装置上に読み込まれたＯＳ、ドライバやアプリケーション（図２）のうち、ＯＳがそのメッセージを受け取る。ＯＳは現在アクティブであるアプリケーションに印刷実行メッセージを送る。
【００２２】
アプリケーションは、そのメッセージをＯＳが認識できるコマンドに変換して印刷するデータやコマンドのメッセージを送る。ＯＳはドライバの認識できるコマンドに変換してメッセージを送る。
【００２３】
まず簡易設定を印刷設定パネルに表示させるために、簡易印刷設定パネル（図３）を表示させる（Ｓ９−１）。このパネル中に印刷設定項目を表示して（Ｓ９−２）、表示した印刷設定項目のなかから、簡易設定するものを選択し（Ｓ９−３）、作成ボタンを押して簡易設定の作成を行なう（Ｓ９−４）。
【００２４】
簡易設定を作成した後、入力装置から印刷命令が入力されると、印刷設定パネルを表示して（Ｓ９−５）、パネル中に作成した簡易設定（Ｓ９−６）とその他の印刷設定項目（Ｓ９−７）を表示する（図４）。ユーザによって簡易設定のアイコンが選択されると（Ｓ９−８）、そのアイコンをハイライト表示して（Ｓ９−９）、印刷設定パネル中の印刷設定項目には、簡易設定作成時に選択したものを初期値として表示させておく（Ｓ９−１０）（図４）。印刷設定パネル中の印刷設定項目のうち、いずれかの設定が変更されたとき（Ｓ９−１１）、選択されてハイライト表示していた簡易設定のアイコンをハーフライト表示に変更し（Ｓ９−１２）、さらに変更した印刷設定項目も同様にハーフライト表示する（Ｓ９−１３）（図５）。印刷設定パネル中で印刷ボタンが押されると（Ｓ９−１４）、印刷を実行して（Ｓ９−１５）この処理を終了する。
【図面の簡単な説明】
【００２５】
【図１】本実施例の画像処理印刷方法が適用される情報処理システムの構成の一例を示すブロック図である。
【図２】画像処理方法制御プログラムと関連するデータが、媒体読取装置記憶装置に格納されていたデータが中央処理演算装置に読み込まれ、入力装置から印刷命令が入力されて、プリンタへデータを送り印刷するまでの概念図である。
【図３】簡易設定ＵＩを作成するための簡易設定作成パネルの一例を表現した図である。
【図４】簡易設定が簡易設定作成パネルによって作成されされた簡易設定アイコンと、印刷設定項目を含んだ印刷設定パネルの一例を表現した図である。
【図５】図４の印刷設定パネルにおいて、簡易設定に文書アイコンを選択して、さらにカートリッジをカラーからモノクロに変更したときの印刷設定パネルの一例を表現した図である。
【図６】この画像処理方法制御プログラムおよび関連データがＦＤを介してコンピュータにロードする状態を示した図である。
【図７】本画像処理方法制御プログラムがＦＤに格納されているメモリマップである。
【図８】ＦＤに格納されていた画像処理方法制御プログラムが、媒体読取装置を介して、補助記憶装置から主記憶装置にロードされたときのメモリマップである。
【図９】本発明に係る印刷設定方法で簡易設定と共通設定を持たせた際の一実施例をあらわすフローチャートである。
【符号の説明】
【００２６】
１  中央処理装置
２  主記憶装置
３  補助記憶装置
４  入力装置
５  出力装置
６  媒体読取装置
７  プリンタ
８  ＲＯＭ
【図１】
2006209512.tif 000003
【図２】
2006209512.tif 000004
【図６】
2006209512.tif 000005
【図７】
2006209512.tif 000006
【図８】
2006209512.tif 000007
【図９】
2006209512.tif 000008
【図３】
2006209512.tif 000009
【図４】
2006209512.tif 000010
【図５】
2006209512.tif 000011